(57)【要約】      （修正有）【課題】本体ユニットとユーザとの相対的な位置関係に依ることなく、あたかも本体ユニットがユーザの手元に在るが如く、その機能を活用することが可能なＡＶ装置を提供する。【解決手段】ユニットＡは、ユニットＢからの要求に応じて音声信号をユニットＢに送出する手段Ａ１２〜Ａ１３を備えており、一方、ユニットＢは、ユーザ操作に応じてユニットＡに前記音声信号の送出を要求する手段Ｂ１３と、ユニットＡから入力される前記音声信号の記録・再生を行う手段Ｂ５、Ｂ８〜Ｂ１０、Ｂ１２〜Ｂ１３と、を備えており、電力線Ｃを介した電力線通信方式によって、相互間の双方向通信を行う構成とされている。【選択図】図１
2006324838.tif 000002
【特許請求の範囲】
【請求項１】
第１音源及び／または第１映像源を備えた本体ユニットとの双方向通信を行う送受信部と；ユーザ操作を受け付ける操作手段と；前記ユーザ操作に応じて、前記送受信部経由で前記本体ユニットに対して、第１音源で得られる第１音声信号及び／または第１映像源で得られる第１映像信号の記録・再生を指示する手段と；前記送受信部経由で伝達される前記本体ユニットの動作状態を報知する手段と；を備えるほか、さらに、前記ユーザ操作に応じて、前記送受信部経由で前記本体ユニットに対して、第１音声信号及び／または第１映像信号の送出を要求する手段と；前記本体ユニットから前記送受信部経由で入力される第１音声信号及び／または第１映像信号の記録・再生を行う手段と；を備えＡＶ装置であって、前記送受信部は、電力線通信方式によって、前記本体ユニットとの双方向通信を行うことを特徴とするＡＶ装置。
【請求項２】
第２音源及び／または第２映像源と；前記ユーザ操作に応じて、第２音源で得られる第２音声信号及び／または第２映像源で得られる第２映像信号の記録・再生を行う手段と；前記ユーザ操作に応じて、第２音声信号及び／または第２映像信号を前記送受信部経由で前記本体ユニットに送出する手段と；前記ユーザ操作に応じて、前記送受信部経由で前記本体ユニットに対して、第２音声信号及び／または第２映像信号の記録・再生を指示する手段と；を備えることを特徴とする請求項１に記載のＡＶ装置。
【請求項３】
第１音源及び／または第１映像源と；第２ユニットとの双方向通信を行う第１送受信部と；第１送受信部経由で伝達される第２ユニットからの指示に応じて、第１音源で得られる第１音声信号及び／または第１映像源で得られる第１映像信号の記録・再生を行う手段と；第１ユニットの動作状態を第１送受信部経由で第２ユニットに伝達する手段と；を備えるほか、さらに、第１送受信部経由で伝達される第２ユニットからの要求に応じて、第１音声信号及び／または第１映像信号を第１送受信部経由で第２ユニットに送出する手段を備えた第１ユニットと、
第１ユニットとの双方向通信を行う第２送受信部と；ユーザ操作を受け付ける操作手段と；前記ユーザ操作に応じて、第２送受信部経由で第１ユニットに対して、第１音声信号及び／または第１映像信号の記録・再生を指示する手段と；第２送受信部経由で伝達される第１ユニットの動作状態を報知する手段と；を備えるほか、さらに、前記ユーザ操作に応じて、第２送受信部経由で第１ユニットに対して、第１音声信号及び／または第１映像信号の送出を要求する手段と；第１ユニットから第２送受信部経由で入力される第１音声信号及び／または第１映像信号の記録・再生を行う手段と；を備えた第２ユニットと、
を有して成るＡＶシステムであって、
第１、第２送受信部は、電力線通信方式によって、相互間の双方向通信を行うことを特徴とするＡＶシステム。
【請求項４】
第２ユニットは、第２音源及び／または第２映像源と；前記ユーザ操作に応じて、第２音源で得られる第２音声信号及び／または第２映像源で得られる第２映像信号の記録・再生を行う手段と；前記ユーザ操作に応じて、第２音声信号及び／または第２映像信号を第２送受信部経由で第１ユニットに送出する手段と；前記ユーザ操作に応じて、第２送受信部経由で第１ユニットに対して、第２音声信号及び／または第２映像信号の記録・再生を指示する手段と；を備えており、第１ユニットは、第１送受信部経由で伝達される第２ユニットからの指示に応じて、第２ユニットから第１送受信部経由で入力される第２音声信号及び／または第２映像信号の記録・再生を行う手段を備えていることを特徴とする請求項３に記載のＡＶシステム。
【発明の詳細な説明】
【技術分野】
【０００１】
本発明は、音声信号及び／または映像信号の再生または記録・再生を行うＡＶ［Audio/Visual］装置、及び、ＡＶシステムに関するものである。
【背景技術】
【０００２】
従来より、本体ユニット（テレビやビデオデッキ、ステレオなど）を遠隔操作するサブユニットとして、いわゆるリモコン装置が広く一般に普及している。しかしながら、従来のリモコン装置を用いた本体ユニットの遠隔操作に際しては、本体ユニットとユーザとの距離が遠くなるにつれて、本体ユニットの動作状態を目視で確認しにくくなり、特に、本体ユニットを見通せない場所から遠隔操作を行う場合には、本体ユニットがどのような動作状態なのか非常に分かりにくくなる、という課題があった。
【０００３】
そこで、近年では、ユーザ操作に応じた制御信号を本体ユニットに送出する機能だけでなく、本体ユニットとの間で双方向通信を行い、本体ユニットからの受信信号に基づいて本体ユニットの動作状態などを表示する機能を備えた双方向リモコン装置が開示・提案されている（例えば、特許文献１を参照）。
【特許文献１】特開平４−１６０８９６号公報
【発明の開示】
【発明が解決しようとする課題】
【０００４】
確かに、上記従来の双方向リモコン装置であれば、ユーザが手元の表示部を見ることによって、離れた場所にある本体ユニットの動作状態を把握することができる。
【０００５】
しかしながら、上記従来の双方向リモコン装置は、本体ユニットとの無線通信によって本体ユニットの動作状態を手元で確認し得るものに過ぎず、その機能は、あくまで遠隔操作手段としての域を出ないものであった。
【０００６】
本発明は、上記の問題点に鑑み、本体ユニットとユーザとの相対的な位置関係に依ることなく、あたかも本体ユニットがユーザの手元に在るが如く、その諸機能を十全に活用することが可能なＡＶ装置、及び、ＡＶシステムを提供することを目的とする。
【課題を解決するための手段】
【０００７】
上記目的を達成すべく、本発明に係るＡＶ装置（図１の第２ユニットＢに相当）は、第１音源及び／または第１映像源を備えた本体ユニットとの双方向通信を行う送受信部と；ユーザ操作を受け付ける操作手段と；前記ユーザ操作に応じて、前記送受信部経由で前記本体ユニットに対して、第１音源で得られる第１音声信号及び／または第１映像源で得られる第１映像信号の記録・再生を指示する手段と；前記送受信部経由で伝達される前記本体ユニットの動作状態を報知する手段と；を備えるほか、さらに、前記ユーザ操作に応じて、前記送受信部経由で前記本体ユニットに対して、第１音声信号及び／または第１映像信号の送出を要求する手段と；前記本体ユニットから前記送受信部経由で入力される第１音声信号及び／または第１映像信号の記録・再生を行う手段と；を備えるＡＶ装置であって、前記送受信部は、電力線通信方式によって、前記本体ユニットとの双方向通信を行う構成（第１の構成）とされている。
【０００８】
このような構成とすることにより、当該ＡＶ装置は、本体ユニットの遠隔操作手段や動作状況確認手段（すなわち、単なるリモコン装置）としてだけでなく、本体ユニットの第１音源及び／または第１映像源の遠隔活用手段（遠隔記録・再生手段）としても機能するものとなる。従って、本体ユニットとユーザとの相対的な位置関係に依ることなく、あたかも本体ユニットがユーザの手元に在るが如く、その諸機能を十全に活用することが可能となる。また、本構成を採用することにより、本体ユニットへの電力線に接続し得る範囲内であれば、いかなる場所でも本体ユニットの諸機能を活用することが可能となる。
【０００９】
また、上記した第１の構成から成るＡＶ装置は、第２音源及び／または第２映像源と；前記ユーザ操作に応じて、第２音源で得られる第２音声信号及び／または第２映像源で得られる第２映像信号の記録・再生を行う手段と；前記ユーザ操作に応じて、第２音声信号及び／または第２映像信号を前記送受信部経由で前記本体ユニットに送出する手段と；前記ユーザ操作に応じて、前記送受信部経由で前記本体ユニットに対して、第２音声信号及び／または第２映像信号の記録・再生を指示する手段と；を備える構成（第２の構成）にするとよい。
【００１０】
このような構成とすることによって、当該ＡＶ装置は、本体ユニットの諸機能（特に自ユニットには搭載されていない機能、或いは、自ユニットよりも優れている機能）を、あたかも自ユニットの機能であるかの如く、かつ、本体ユニットとユーザとの相対的な位置関係に依ることなく、十全に活用することが可能となる。
【００１１】
また、ＡＶシステム全体として着目した場合、本発明に係るＡＶシステムは、第１音源及び／または第１映像源と；第２ユニットとの双方向通信を行う第１送受信部と；第１送受信部経由で伝達される第２ユニットからの指示に応じて、第１音源で得られる第１音声信号及び／または第１映像源で得られる第１映像信号の記録・再生を行う手段と；第１ユニットの動作状態を第１送受信部経由で第２ユニットに伝達する手段と；を備えるほか、さらに、第１送受信部経由で伝達される第２ユニットからの要求に応じて、第１音声信号及び／または第１映像信号を第１送受信部経由で第２ユニットに送出する手段を備えた第１ユニットと、第１ユニットとの双方向通信を行う第２送受信部と；ユーザ操作を受け付ける操作手段と；前記ユーザ操作に応じて、第２送受信部経由で第１ユニットに対して、第１音声信号及び／または第１映像信号の記録・再生を指示する手段と；第２送受信部経由で伝達される第１ユニットの動作状態を報知する手段と；を備えるほか、さらに、前記ユーザ操作に応じて、第２送受信部経由で第１ユニットに対して、第１音声信号及び／または第１映像信号の送出を要求する手段と；第１ユニットから第２送受信部経由で入力される第１音声信号及び／または第１映像信号の記録・再生を行う手段と；を備えた第２ユニットと、を有して成るＡＶシステムであって、第１、第２送受信部は、電力線通信方式によって、相互間の双方向通信を行う構成（第３の構成）としている。
【００１２】
このような構成とすることにより、第２ユニットは、第１ユニットの遠隔操作手段や動作状況確認手段（すなわち、単なるリモコン装置）としてだけでなく、第１ユニットの第１音源及び／または第１映像源の遠隔活用手段（遠隔記録・再生手段）としても機能するものとなる。従って、本体ユニットとユーザとの相対的な位置関係に依ることなく、あたかも本体ユニットがユーザの手元に在るが如く、その諸機能を十全に活用することが可能となる。また、本構成を採用することにより、第１ユニットへの電力線に接続し得る範囲内であれば、いかなる場所でも第１ユニットの諸機能を活用することが可能となる。
【００１３】
また、上記した第３の構成から成るＡＶシステムにおいて、第２ユニットは、第２音源及び／または第２映像源と；前記ユーザ操作に応じて、第２音源で得られる第２音声信号及び／または第２映像源で得られる第２映像信号の記録・再生を行う手段と；前記ユーザ操作に応じて、第２音声信号及び／または第２映像信号を第２送受信部経由で第１ユニットに送出する手段と；前記ユーザ操作に応じて、第２送受信部経由で第１ユニットに対して、第２音声信号及び／または第２映像信号の記録・再生を指示する手段と；を備えており、第１ユニットは、第１送受信部経由で伝達される第２ユニットからの指示に応じて、第２ユニットから第１送受信部経由で入力される第２音声信号及び／または第２映像信号の記録・再生を行う手段を備えている構成（第４の構成）にするとよい。
【００１４】
このような構成とすることにより、第２ユニットは、第１ユニットの諸機能（特に自ユニットには搭載されていない機能、或いは、自ユニットよりも優れている機能）を、あたかも自ユニットの機能であるかの如く、かつ、第１ユニットとユーザとの相対的な位置関係に依ることなく十全に活用することが可能となる。
【発明の効果】
【００１５】
上記したように、本発明に係るＡＶシステムであれば、本体ユニットとユーザとの相対的な位置関係に依ることなく、あたかも本体ユニットがユーザの手元に在るが如く、その諸機能を十全に活用することが可能となる。
【発明を実施するための最良の形態】
【００１６】
以下では、音声信号の記録・再生を行うオーディオシステムに本発明を適用した場合を例示して、本発明の実施の形態を詳細に説明する。
【００１７】
図１は、本発明に係るオーディオシステムの一実施形態を示すブロック図である。
【００１８】
本図に示す通り、本実施形態のオーディオシステムは、本体ユニットとして機能する第１ユニットＡと、サブユニットとして機能する第２ユニットＢと、から構築されている。
【００１９】
第１ユニットＡは、ＣＤ［Compact Disc］音源Ａ１と、テープ音源Ａ２と、チューナ音源Ａ３と、外部入力音源Ａ４と、ハードディスク音源Ａ５と、ＭＤ［Mini Disc］音源Ａ６と、再生回路Ａ７と、録音回路Ａ８と、アンプ部Ａ９と、スピーカＡ１０と、操作部Ａ１１と、ファンクション部Ａ１２と、マイコンＡ１３と、送信／変調部Ａ１４と、電源フィルタ部（送信側）Ａ１５と、受信／復調部Ａ１６と、電源フィルタ部(受信側）Ａ１７と、表示部Ａ１８と、を備えて成る。
【００２０】
ＣＤ音源Ａ１、テープ音源Ａ２、チューナ音源Ａ３、外部入力音源Ａ４、ハードディスク音源Ａ５、及び、ＭＤ音源Ａ６は、第１ユニットＡ側に設けられた第１音源に相当し、各メディアから第１音声信号を得るための手段となる。なお、上記の音源は、あくまでも一例であり、他の音源を有していても構わないし、逆に、上記の音源を全て有している必要もない。また、ハードディスク音源Ａ５とＭＤ音源Ａ６は、音声信号の記録に際して、その記録先にもなる。
【００２１】
送信／変調部Ａ１４、電源フィルタ部（送信側）Ａ１５、受信／復調部Ａ１６、及び、電源フィルタ部(受信側）Ａ１７は、第１ユニットＡ側に設けられた第１送受信部に相当し、第２ユニットＢとの双方向通信を行う手段となる。なお、第１送受信部においては、電力線Ｃを介した電力線通信方式によって、第２ユニットＢとの双方向通信が行われる。
【００２２】
操作部Ａ１１は、ユーザ操作を受け付ける手段であり、表示部Ａ１８は、第１ユニットＡの動作状態（ＣＤ音源Ａ１の再生トラック表示など）を表示する手段である。
【００２３】
再生回路Ａ７、録音回路Ａ８、アンプ部Ａ９、スピーカＡ１０、ファンクション部Ａ１２、及びマイコンＡ１３は、受信／復調部Ａ１６経由で伝達される第２ユニットＢからの指示、或いは、操作部Ａ１１で受け付けられるユーザ操作に応じて、第１ユニットＡのファンクション決定（音源の選択や、記録／再生の選択）を行い、第１音源で得られる第１音声信号、若しくは、第２ユニットＢから受信／復調部Ａ１６経由で入力される第２音声信号の記録・再生を行う手段に相当する。
【００２４】
なお、上記したファンクション部Ａ１２及びマイコンＡ１３は、第１ユニットＡ各部の統括制御手段として機能するほか、第１ユニットＡの動作状態を送信／変調部Ａ１４経由で第２ユニットＢに伝達する手段、さらには、受信／復調部Ａ１６経由で伝達される第２ユニットＢからの要求に応じて、第１音声信号を送信／変調部Ａ１４経由で第２ユニットＢに送出する手段としても機能する。
【００２５】
一方、第２ユニットＢは、チューナ音源Ｂ３と、外部入力音源Ｂ４と、ハードディスク音源Ｂ５と、再生回路Ｂ７と、録音回路Ｂ８と、アンプ部Ｂ９と、スピーカＢ１０と、操作部Ｂ１１と、ファンクション部Ｂ１２と、マイコンＢ１３と、送信／変調部Ｂ１４と、電源フィルタ部（送信側）Ｂ１５と、受信／復調部Ｂ１６と、電源フィルタ部（受信側）Ｂ１７と、表示部Ｂ１８とを備えて成る。
【００２６】
チューナ音源Ｂ３、外部入力音源Ｂ４、及び、ハードディスク音源Ｂ５は、第２ユニットＢ側に設けられた第２音源に相当し、各メディアから第２音声信号を得るための手段となる。このように、第２ユニットＢでは、第１ユニットＡとの音源重複の回避、並びに、リモコン装置や携帯型オーディオ装置としての利用形態を鑑み、その携帯性を損なわないよう、第１ユニットＡに搭載された比較的規模の大きい音源（ＣＤ音源、テープ音源、ＭＤ音源など）が除かれている。なお、上記の音源は、あくまでも一例であり、その他の音源（軽薄性の高い半導体メモリ音源など）を有していても構わないし、逆に、上記の音源を全て有している必要もない。また、ハードディスク音源Ｂ５は、音声信号の記録に際して、その記録先にもなる。
【００２７】
送信／変調部Ｂ１４、電源フィルタ部（送信側）Ｂ１５、受信／復調部Ｂ１６、及び、電源フィルタ部（受信側）Ｂ１７は、第２ユニットＢ側に設けられた第２送受信部に相当し、第１ユニットＡとの双方向通信を行う手段となる。なお、第２送受信部においては、電力線Ｃを介した電力線通信方式によって、第１ユニットＡとの双方向通信が行われる。      
【００２８】
操作部Ｂ１１は、ユーザ操作を受け付ける手段であり、表示部Ｂ１８は、第２ユニットＢの動作状態（チューナ音源Ｂ３の選択チャンネル表示など）のほか、第１ユニットＡの動作状態（ＣＤ音源Ａ１の再生トラック表示など）を表示する手段である。
【００２９】
再生回路Ｂ７、録音回路Ｂ８、アンプ部Ｂ９、スピーカＢ１０、ファンクション部Ｂ１２、及び、マイコンＢ１３は、操作部Ｂ１１で受け付けられるユーザ操作に応じて、第２ユニットＢのファンクション決定（音源の選択や、記録／再生の選択）を行い、第１ユニットＡから受信／復調部Ｂ１６経由で入力される第１音声信号、若しくは、第２音源で得られる第２音声信号の記録・再生を行う手段に相当する。
【００３０】
なお、上記したファンクション部Ｂ１２及びマイコンＢ１３は、第２ユニットＢ各部の統括制御手段として機能するほか、ユーザ操作に応じて、送信／変調部Ｂ１４経由で第１ユニットＡに対して、第１音声信号の送出を要求する手段；同じくユーザ操作に応じて、第２音声信号を送信／変調部Ｂ１４経由で第１ユニットＡに送出する手段；さらには、ユーザ操作に応じて、送信／変調部Ｂ１４経由で第１ユニットＡに対して、第１音声信号或いは第２音声信号の記録・再生を指示する手段；としても機能する。
【００３１】
また、本実施形態では、第２ユニットＢ側の音声出力手段として、スピーカＢ１０を設けた構成を例示したが、音声出力手段はこれに限定されるものではなく、第２ユニットＢの携帯性を損なわないよう、スピーカＢ１０に代えて、ヘッドフォン出力端子を設けた構成としても構わない。
【００３２】
以下では、上記構成から成るオーディオシステムの動作に関する詳細な説明を行う。
【００３３】
まず、第１、第２ユニットＡ、Ｂ間の電力線通信について説明する。電力線通信とは、電力線通信用のアダプタ（ＰＬＣ［Power Line Communications］モデム、図１では、電源フィルタ部として、第１、第２ユニットＡ、Ｂに内蔵済み）を介して、第１、第２ユニットＡ、Ｂと電力線Ｃとを接続することにより、電力線Ｃを通信回線として、ディジタル通信データの送受信を行う技術である。近年、殆どの建物には電力線が張り巡らされている。これを鑑みれば、当該通信技術を採用することにより、新たにケーブル等を敷設することなく、手軽に通信網を構築することが可能となる。
【００３４】
なお、本実施形態のオーディオシステムでは、図２に示す通り、制御系信号（音声信号の記録・再生や第２ユニットＢへの送出を指示するコントロール信号、或いは、第１ユニットＡの動作状態を第２ユニットＢ側で報知するための表示信号など）に加えて、ディジタル化（ブロックデータ化）された音声信号までもが、一系統のディジタル通信データに盛り込まれており、当該ディジタル通信データが第１、第２ユニットＡ、Ｂ間でシリアルにやり取りされている。このような構成を採用することにより、送受信信号の内容毎に異なる通信方式を採用した場合に比べて、送受信回路の規模を縮小することが可能となる。なお、ディジタル通信データを圧縮して無線送信を行う構成とすれば、その送信効率を向上することが可能となる。ただし、当該構成を採用する場合には、受信側で復調される被圧縮信号について所定の伸張処理を行う必要が生じる。
【００３５】
次に、第１、第２ユニットＡ、Ｂの連携動作について説明する。上記構成から成るオーディオシステムでは、ユーザ操作に応じて、第１ユニットＡの音源Ａ１〜Ａ６で得られる第１音声信号を第１ユニットＡ側で記録・再生することはもちろん、当該第１音声信号を第２ユニットＢ側でも記録・再生することが可能とされている。
【００３６】
第２ユニットＢにて、第１ユニットＡの音源選択、並びに、当該音源で得られる第１音声信号の送出が要求された場合、第１ユニットＡでは、選択された音源から第１音声信号が送信／変調部Ａ１４に送られて、さらに電源フィルタ（送信側）Ａ１５から電力線Ｃに送出される。なお、送信されるディジタル通信データの内容については、先述の通りであり、当該ディジタル通信データには、上記した第１音声信号のほか、その隙間に第１ユニットＡの動作状態を示す表示信号等が埋め込まれている。
【００３７】
一方、第２ユニットＢでは、電力線Ｃから電源フィルタ（受信側）Ｂ１７を介して受信／復調部Ｂ１６に入力され、当該受信／復調部Ｂ１６にて、第１音声信号や表示信号の復調が行われる。復調された各信号は、マイコンＢ１３によってその内容判別が行われ、適切に出力される。より具体的に述べると、第１音声信号は、アンプ部Ｂ９を介してスピーカＢ１０で出力され、或いは、録音回路Ｂ８を介して、ハードディスク音源Ｂ５にディジタル録音される。また、表示信号は、表示部Ｂ１８にて表示される。
【００３８】
このような構成とすることにより、第２ユニットＢは、第１ユニットＡの遠隔操作手段や動作状況確認手段（すなわち、単なるリモコン装置）としてだけでなく、第１ユニットＡに搭載された第１音源の遠隔活用手段（遠隔記録・再生手段）としても機能するものとなる。従って、第１ユニットＡとユーザとの相対的な位置関係に依ることなく、あたかも第１ユニットＡがユーザの手元に在るが如く、その諸機能を十全に活用することが可能となる。例えば、図３（ａ）に示すように、１階のリビングに設置された第１ユニットＡを２階の自室から第２ユニットＢで遠隔操作し、あたかも２階の自室に第１ユニットＡが設置されているかの如く、その搭載音源を活用して、第１音声信号の記録・再生を行うことが可能となる。
【００３９】
なお、もちろんのことながら、第２ユニットＢには、図３（ｂ）で示すように、第１ユニットＡの遠隔操作手段や動作状況確認手段（すなわちリモコン装置）としての機能も具備されている。このとき、第１ユニットＡのスピーカＡ１０で第１音声信号（例えばフロントＬＲ音声信号やセンター音声信号、及び、ウーハ音声信号）の出力を行いつつ、第２ユニットＢのスピーカＢ１０でも同じく第１音声信号（リアＬＲ信号）を再生することにより、第１音声信号のサラウンド再生（若しくは擬似的なサラウンド再生）を行うことも可能となる。
【００４０】
また、上記構成から成るオーディオシステムでは、上記と逆に、ユーザ操作に応じて、第２ユニットＢの音源Ｂ３〜Ｂ５で得られる第２音声信号を第１ユニットＡ側でも記録・再生することが可能とされている。
【００４１】
この場合、第２ユニットＢでは、選択された音源から第２音声信号が送信／変調部Ｂ１４に送られて、さらに電源フィルタ（送信側）Ｂ１５から電力線Ｃに送出される。なお、送信されるディジタル通信データの内容については、先述の通りであり、当該ディジタル通信データには、上記した第２音声信号のほか、その隙間に第１ユニットＡの動作を制御するためのコントロール信号等が埋め込まれている。
【００４２】
一方、第１ユニットＡでは、電力線Ｃから電源フィルタ（受信側）Ａ１７を介して受信／復調部Ａ１６に入力され、当該受信／復調部Ａ１６にて、第２音声信号やコントロール信号の復調が行われる。復調された各信号は、マイコンＡ１３によってその内容判別が行われ、適切な動作が実行される。より具体的に述べると、第２音声信号は、復調されたコントロール信号の指示内容に基づき、アンプ部Ａ９を介してスピーカＡ１０で出力され、或いは、録音回路Ａ８を介して、ハードディスク音源Ａ５またはＭＤ音源Ａ６にディジタル録音される。
【００４３】
このような構成とすることにより、第２ユニットＢは、第１ユニットＡの諸機能（特に自ユニットには搭載されていない機能、或いは、自ユニットよりも優れている機能）を、あたかも自ユニットの機能であるかの如く、かつ、第１ユニットＡとユーザとの相対的な位置関係に依ることなく、十全に活用することが可能となる。例えば、図３（ａ）に示すように、２階の自室で第２ユニットＢに搭載されたチューナ音源Ｂ３の再生を楽しみながら、１階のリビングに設置された第１ユニットＡのＭＤ音源Ａ６でそのディジタル録音を並行して行ったり、或いは、第２ユニットＢの外部入力音源Ｂ４で得られた音声信号を一旦自ユニットのハードディスク音源Ｂ５にディジタル録音しておき、後ほど、第２ユニットＢから第１ユニットＡのＭＤ音源Ａ６に録音し直す、といった利用が可能となる。
【００４４】
なお、上記の実施形態では、音声信号の記録・再生を行うオーディオシステムに本発明を適用した場合を例に挙げて説明を行ったが、本発明の適用対象はこれに限定されるものではなく、本発明は、音声信号及び／または映像信号の再生または記録・再生を行うＡＶシステム全般に広く適用することが可能である。
【００４５】
また、本発明の構成は、上記の実施形態のほか、発明の主旨を逸脱しない範囲で種々の変更を加えることが可能である。
【産業上の利用可能性】
【００４６】
本発明は、ＡＶシステムの利便性を高める上で有用な技術である。
【図面の簡単な説明】
【００４７】
【図１】は、本発明に係るオーディオシステムの一実施形態を示すブロック図である。
【図２】は、ブロックデータ群を示す概念図である。
【図３】は、本発明に係るオーディオシステムの使用例を示す概念図である。
【符号の説明】
【００４８】
Ａ、Ｂ    第１、第２ユニット（本体ユニット、サブユニット）
Ｃ    電力線
Ａ１    ＣＤ音源
Ａ２    テープ音源
Ａ３、Ｂ３    チューナ音源
Ａ４、Ｂ４    外部入力音源
Ａ５、Ｂ５    ハードディスク音源
Ａ６    ＭＤ音源
Ａ７、Ｂ７    再生回路
Ａ８、Ｂ８    録音回路
Ａ９、Ｂ９    アンプ部
Ａ１０、Ｂ１０    スピーカ
Ａ１１、Ｂ１１    操作部
Ａ１２、Ｂ１２    ファンクション部
Ａ１３、Ｂ１３    マイコン
Ａ１４、Ｂ１４    送信／変調部
Ａ１５、Ｂ１５    電源フィルタ部（送信側）
Ａ１６、Ｂ１６    受信／復調部
Ａ１７、Ｂ１７    電源フィルタ部（受信側）
Ａ１８、Ｂ１８    表示部
【図１】
2006324838.tif 000003
【図２】
2006324838.tif 000004
【図３】
2006324838.tif 000005